(57)【要約】【課題】  主に集合住宅やオフィス、遊戯室等に使用される二重床に関し、施工品質の安定化、施工性の向上及び遮音性能の一層の向上を図ることができる二重床の端部構造を提供する。【解決手段】  床下地材１及び仕上げ材３を有し、基盤１０上に支持脚４を介して設置する二重床の端部と、基盤１０に設置された垂直部材２０とを固定するための二重床の端部構造であって、断面Ｌ字形の弾性アングル材５により、床下地材１と垂直部材２０との間を固定するようにした。【選択図】  図１
2005207214.tif 000002
【特許請求の範囲】
【請求項１】
床下地材（１）及び仕上げ材（３）を有し、基盤（１０）上に支持脚（４）を介して設置する二重床の端部と、基盤（１０）に設置された垂直部材（２０）とを固定するための構造であって、断面Ｌ字形の弾性アングル材（５）により、床下地材（１）と垂直部材（２０）との間を固定するようにしたことを特徴とする二重床の端部構造。
【請求項２】
弾性アングル材（５）が、弾性材料で一体的に形成されていることを特徴とする請求項１に記載の二重床の端部構造。
【請求項３】
弾性アングル材（５）が、硬質板（６）により、床下地材（１）及び垂直部材（２０）に取り付けられていることを特徴とする請求項２に記載の二重床の端部構造。
【請求項４】
弾性アングル材（５）が、硬質材料からなる床下地材固定部（５Ａ）と、硬質材料からなる垂直部材固定部（５Ｂ）と、床下地材固定部（５Ａ）と垂直部材固定部（５Ｂ）とを接続する弾性材料からなる中間部（５Ｃ）とによって形成されていることを特徴とする請求項１に記載の二重床の端部構造。
【請求項５】
複数の弾性アングル材（５）が、二重床の端部に間隔を空けて取り付けられていることを特徴とする請求項１から４のいずれか１項に記載の二重床の端部構造。
【請求項６】
弾性アングル材（５）の取り付けピッチが、２００ｍｍ以上であることを特徴とする請求項５に記載の二重床の端部構造。
【請求項７】
床下地材（１）の上面部分の弾性アングル材（５）の厚さが、床下地材（１）と仕上げ材（３）との間に介在する捨て板（２）の厚さ以下であることを特徴とする請求項１から６のいずれか１項に記載の二重床の端部構造。
【請求項８】
床下地材（１）に、弾性アングル材（５）を取り付けるための切欠き（１Ａ）が設けられていることを特徴とする請求項１から６のいずれか１項に記載の二重床の端部構造。
【請求項９】
床下地材（１）が垂直部材（２０）から離れて配置され、床下地材（１）と垂直部材（２０）との隙間に弾性アングル材（５）が取り付けられていることを特徴とする請求項１から６のいずれか１項に記載の二重床の端部構造。
【発明の詳細な説明】
【技術分野】
【０００１】
本発明は、二重床の端部と、基盤の垂直部材とを固定する構造に関するものであり、特に、施工品質の安定化、施工性の向上及び遮音性能の一層の向上を図ることができる二重床の端部構造に関するものである。
【背景技術】
【０００２】
二重床は一般に、床下地材、捨て板及び仕上げ材を有しており、その端部は、基盤上の垂直部材に設置された際ネダに固定される。即ち、図１０に示すように、二重床は、支持脚４が取り付けられた床下地材１の上に捨て板２及び仕上げ材３が積層された構造となっているが、基盤１０上の垂直部材２０に隣接する端部においては床下地材１が存在せず、際ネダ３０の上に捨て板２及び仕上げ材３が積層され、捨て板２と際ネダ３０との間が釘等で固定される（例えば、特許文献１参照。）。
【特許文献１】特開２０００−３０３６６５号公報  （第２頁、図２、図２９）
【発明の開示】
【発明が解決しようとする課題】
【０００３】
しかしながら、際ネダを使用した端部構造では、際ネダ材料であるムク材の収縮によって際ネダが変形したりヤセたりすることがあり、二重床の設置後半年程で捨て板や仕上げ材と際ネダとの取り合い部間に問題が生ずる場合があった。即ち、二重床の沈み込み、これによる二重床と垂直部材との擦れによる床鳴り、二重床と垂直部材との隙間の発生等の問題が懸念されるのである。
【０００４】
また、際ネダは生材を建築現場合わせで取り付けるため、取り付け精度が悪い場合や垂直部材との一体化の度合いにばらつきが多い場合があり、二重床の施工時に際ネダの取り付けをやり直すこともある。更に、際ネダの使用によって床衝撃音遮断性能に悪影響を与えることもある。
【０００５】
そして、このような問題は、捨て板のない二重床でも存在する。即ち、図１１に示すように、捨て板のない二重床の場合、支持脚４の上に受け材８が取り付けられ、この受け材８の上に床下地材１が配置されるが、端部では、床下地材１と際ネダ３０との間が釘等で固定される。したがって、際ネダを使用する限り、上記の問題が発生するのである。
【０００６】
そこで本発明は、主に集合住宅やオフィス、遊戯室等に使用される二重床に関し、施工品質の安定化、施工性の向上及び遮音性能の一層の向上を図ることができる二重床の端部構造を提供することを目的とするものである。
【課題を解決するための手段】
【０００７】
本発明は、以上の課題を解決するためになされたものであって、その要旨は、床下地材及び仕上げ材を有し、基盤上に支持脚を介して設置する二重床の端部と、基盤に設置された垂直部材とを固定するための構造であって、断面Ｌ字形の弾性アングル材により、床下地材と垂直部材との間を固定するようにした二重床の端部構造に係るものである。
【０００８】
ここで、弾性アングル材は、弾性材料で一体的に形成することができるが、この場合、弾性アングル材は、硬質板により、床下地材及び垂直部材に取り付けることが好ましい。また、弾性アングル材は、硬質材料からなる床下地材固定部と、硬質材料からなる垂直部材固定部と、その両者を接続する弾性材料からなる中間部とによって形成することもできる。
【０００９】
そして好ましくは、複数の弾性アングル材が二重床の端部に間隔を空けて取り付けられている二重床の端部構造に係るものであり、より好ましくは、弾性アングル材の取り付けピッチが２００ｍｍ以上である二重床の端部構造に係るものである。なお、床下地材の上面部分の弾性アングル材の厚さは、床下地材と仕上げ材との間に介在する捨て板の厚さ以下であることが好ましい。
【００１０】
また、床下地材に、弾性アングル材を取り付けるための切欠きを設けたり、床下地材と垂直部材とを離して配置し、床下地材と垂直部材との隙間に弾性アングル材を取り付けることもできる。
【発明の効果】
【００１１】
本発明の二重床の端部構造は、床下地材及び仕上げ材を有し、基盤上に支持脚を介して設置する二重床の端部と、基盤に設置された垂直部材とを固定するための構造であって、断面Ｌ字形の弾性アングル材により、床下地材と垂直部材との間を固定するようにしたので、主に集合住宅やオフィス、遊戯室等に使用される二重床に関し、施工品質の安定化、施工性の向上及び遮音性能の一層の向上を図ることができる。
【００１２】
即ち、振動吸収性の高い弾性アングル材を使用することで、振動絶縁効果に優れたものとなっており、特に、複数の弾性アングル材が二重床の端部に間隔を空けて取り付けられている場合には、床衝撃音遮断性能が一層向上する。
【発明を実施するための最良の形態】
【００１３】
本発明における二重床は、床下地材及び仕上げ材を有し、基盤上に支持脚を介して設置されるものである。そして、この二重床の端部は、基盤に設置された垂直部材に固定される。本発明の二重床にあっては、このような端部構造に関し、断面Ｌ字形の弾性アングル材を用い、弾性アングル材により、床下地材と垂直部材との間をビス等で固定する。
【００１４】
このように、本発明の二重床の端部構造は、従来の構造のような際ネダを使用せず、断面Ｌ字形の弾性アングル材を使用して固定するようになっている。従って、木質生材である際ネダのような変形（狂い）がなく、位置決めが容易で、大工技能による品質のばらつきが少なく、しかも、施工後に床鳴り等の問題が発生することもないのである。
【００１５】
弾性アングル材の材質としては、ゴム、軟質樹脂等の振動絶縁機能を有する弾性材料が最適である。ここで、弾性アングル材は、全体が弾性材料で一体的に形成されていてもよいが、硬質材料からなる床下地材固定部と、硬質材料からなる垂直部材固定部と、その両者を接続する弾性材料からなる中間部とによって形成されていてもよい。ただし、弾性アングル材を弾性材料で一体的に形成した場合には、硬質板により、床下地材及び垂直部材に取り付けることが好ましい。なお、床下地材固定部及び垂直部材固定部には、床下地材及び垂直部材との固定用のビス又は釘穴を設けておくことが好ましい。
【００１６】
弾性アングル材の長さは、二重床の端部の全長と同一にすることもできるが、床下地材と垂直部材とを全面的に固定すると、床衝撃音遮断性能に悪影響を及ぼすことが懸念される。そこで、複数の弾性アングル材を二重床の端部に間隔を空けて取り付け、部分的な点設置にすることが好ましい。なお、この場合の弾性アングル材の取り付けピッチは、２００ｍｍ以上とすることが好適である。
【００１７】
また、床下地材と仕上げ材との間には、通常、捨て板を介在させるが、床下地材の上面に弾性アングル材を取り付けると、この部分には捨て板が配置されなくなるので、弾性アングル材の上に仕上げ材が積層されることとなる。そこで、床下地材の上面部分の弾性アングル材の厚さは、床下地材と仕上げ材との間に介在する捨て板の厚さ以下になるようにすることが好ましい。なお、本発明の二重床の端部構造は捨て板がない床工法にも適用できるものであり、その場合は、床下地材に直接仕上げ材が固定されることとなるが、この場合にも、弾性アングル材が床の表面に露出しないようにしておく。
【００１８】
なお、床下地材と仕上げ材との間に、捨て板を介在させない場合もある。この場合は、弾性アングル材の取り付け場所が問題となる。そこで、このような場合には、床下地材に、弾性アングル材を取り付けるための切欠きを設けたり、床下地材と垂直部材とを離して配置し、床下地材と垂直部材との隙間に弾性アングル材を取り付けるようにすればよい。
【実施例１】
【００１９】
以下、本発明の好ましい実施の形態の具体例を図面に基づいて説明する。図１は、本発明の二重床の端部構造の実施例１を示す図であり、図１（Ａ）は端部構造の断面図、図１（Ｂ）は端部構造に使用する弾性アングル材の斜視図及び正面図である。また、図２は、図１に示す実施例１の平面図である。図１（Ａ）に示すように、コンクリートの基盤１０には木質材からなる垂直部材２０が設置されている。そして、垂直部材２０に沿って支持脚４が取り付けられた床下地材１が配置され、床下地材１の上に捨て板２及び仕上げ材３が順に積層されて二重床を構成している。
【００２０】
このような二重床の端部は、垂直部材２０に固定されることとなるが、図１及び図２に示す実施例１では、図１（Ｂ）に示すように、断面Ｌ字形の弾性アングル材５が、弾性材料であるゴムで一体的に形成されている。そして、この弾性アングル材５の１面を床下地材１の上面に積層し、他の１面を垂直部材２０の側面に密着させ、固定ビス７で取り付けてある。また、弾性アングル材５は、図２に示されているように、二重床の端部に間隔を空けて、３００ｍｍピッチの点設置で取り付けてある。なお、床下地材１の上面部分の弾性アングル材５の厚さは、捨て板２の厚さよりも薄くなっている。
【００２１】
図３は、本発明の二重床の端部構造の施工手順を示す斜視図である。即ち、最初に、図３（Ａ）に示す通り、固定ビス７を用いて垂直部材２０に弾性アングル材５を取り付けておく。次に、図３（Ｂ）に示す通り、弾性アングル材５と干渉しないように端部を切り欠いた捨て板２を使用するか、弾性アングル材５の部分を避けて床下地材１の上に積層した捨て板２を使用して、弾性アングル材５の下側に床下地材１を配置する。そして、固定ビス７を用いて床下地材１と弾性アングル材５とを固定する。最後に、捨て板２と弾性アングル材５の上面に、図示を省略した仕上げ材を配置すれば、弾性アングル材５により、床下地材１と垂直部材２０との間が固定された二重床となる。
【００２２】
図４は、端部構造の違いによる床衝撃音遮断性能を示すグラフである。図１に示す実施例１では、弾性アングル材５の点設置となっているため、図４に示すように、従来の際ネダを使用して際ネダの全長に固定した場合と比較して、振動絶縁効果において約２ランクの性能向上が図られている。
【実施例２】
【００２３】
図５は、本発明の二重床の端部構造の実施例２を示す断面図である。即ち、図５に示す実施例２は、図１（Ａ）に示す実施例１に対し、硬質板６を追加したものであって、弾性アングル材５が、硬質板６により、床下地材１及び垂直部材２０に取り付けられている。このように、硬質板６を用いれば、弾性アングル材５の取り付けが非常に強固なものとなる。なお、硬質板６の材質としては、金属や硬質樹脂等の硬質材料が最適であり、図５に示すように、固定ビス７を用いて取り付けることの他、弾性アングル材５と接着や二色成形等で一体化させることもできる。
【実施例３】
【００２４】
図６は、本発明の二重床の端部構造の実施例３を示すものであり、端部構造に使用する弾性アングル材５の斜視図である。即ち、図１（Ｂ）に示す実施例１の弾性アングル材５のように、弾性材料で一体的に形成されておらず、図６に示す実施例３では、弾性アングル材５が、硬質材料からなる床下地材固定部５Ａと、硬質材料からなる垂直部材固定部５Ｂと、床下地材固定部５Ａと垂直部材固定部５Ｂとを接続する弾性材料からなる中間部５Ｃとによって形成されている。従って、実施例３も実施例２と同様に、弾性アングル材５の取り付けが非常に強固なものとなる。なお、硬質材料としては、金属や硬質樹脂等が最適である。
【実施例４】
【００２５】
図７は、本発明の二重床の端部構造の実施例４を示す斜視図である。即ち、図２に示す実施例１の弾性アングル材５のように、部分的なものではなく、図７に示す実施例４は、弾性アングル材５を端部の全長にわたって取り付けるようにしたものである。なお、床下地材１の上面部分の弾性アングル材５の厚さは、実施例１と同様に、捨て板２の厚さよりも薄くなっている。
【実施例５】
【００２６】
図８は、本発明の二重床の端部構造の実施例５を示す断面図及び平面図である。図８に示す実施例５は、捨て板のない二重床の端部構造であり、図８（Ａ）に示すように、コンクリートの基盤１０には木質材からなる垂直部材２０が設置されている。また、コンクリートの基盤１０にはゴム足を有する支持脚４も設置されている。そして、支持脚４の上に受け材８が取り付けられ、受け材８の上に床下地材１が配置され、床下地材１の上に仕上げ材３が積層されて二重床を構成している。
【００２７】
このような捨て板のない二重床の端部も、垂直部材２０に固定されることとなる。そして、図８に示す実施例５では、断面Ｌ字形の弾性アングル材５を用いて固定している。即ち、弾性アングル材５の１面を受け材８の上面に積層し、他の１面を垂直部材２０の側面に密着させ、固定ビス７で取り付けている。従って、弾性アングル材５及び受け材８により、床下地材１と垂直部材２０との間が固定される。
【００２８】
ここで、図８（Ｂ）に示すように、床下地材１には切欠き１Ａが設けられている。そして、この切欠き１Ａの部分に弾性アングル材５が取り付けられている。なお、仕上げ材３は、図８（Ｂ）では図示を省略しているが、図８（Ａ）に示すように、切欠き１Ａは仕上げ材３で覆われる。
【実施例６】
【００２９】
図９は、本発明の二重床の端部構造の実施例６を示す断面図及び平面図である。図９に示す例は、図８の実施例５と同様に、捨て板のない二重床の端部構造であるが、弾性アングル材５の取り付け方法が異なっている。即ち、図９に示す実施例６では、床下地材１と垂直部材２０とを離して配置し、床下地材１と垂直部材２０との隙間に弾性アングル材５を取り付けている。
【産業上の利用可能性】
【００３０】
本発明の二重床の端部構造は、断面Ｌ字形の弾性アングル材により、床下地材と垂直部材との間を固定するようにしたものであり、二重床の端部と、基盤の垂直部材とを固定する構造に幅広く利用することができる。
【図面の簡単な説明】
【００３１】
【図１】二重床の端部構造を示す断面図、端部構造に使用する弾性アングル材の斜視図及び正面図である。（実施例１）
【図２】二重床の端部構造を示す平面図である。（実施例１）
【図３】二重床の端部構造の施工手順を示す斜視図である。（実施例１）
【図４】端部構造の違いによる床衝撃音遮断性能を示すグラフである。（実施例１、従来例）
【図５】二重床の端部構造を示す断面図である。（実施例２）
【図６】二重床の端部構造に使用する弾性アングル材の斜視図である。（実施例３）
【図７】二重床の端部構造を示す斜視図である。（実施例４）
【図８】二重床の端部構造を示す断面図及び平面図である。（実施例５）
【図９】二重床の端部構造を示す断面図及び平面図である。（実施例６）
【図１０】捨て板のある二重床の端部構造を示す断面図である。（従来例）
【図１１】捨て板のない二重床の端部構造を示す断面図である。（従来例）
【符号の説明】
【００３２】
１    床下地材
２    捨て板
３    仕上げ材
４    支持脚
５    弾性アングル材
５Ａ  床下地材固定部
５Ｂ  垂直部材固定部
５Ｃ  中間部
６    硬質板
７    固定ビス
８    受け材
１０  基盤
２０  垂直部材
３０  際ネダ
【図１】
2005207214.tif 000003
【図２】
2005207214.tif 000004
【図３】
2005207214.tif 000005
【図４】
2005207214.tif 000006
【図５】
2005207214.tif 000007
【図６】
2005207214.tif 000008
【図７】
2005207214.tif 000009
【図８】
2005207214.tif 000010
【図９】
2005207214.tif 000011
【図１０】
2005207214.tif 000012
【図１１】
2005207214.tif 000013